(57)【要約】【課題】  中板より下の回転部材を回転動作するだけで、中板より上へ手を差し込むことなく、分離ユニットの固定作業を行うことができて、分離ユニットの固定作業を容易にすることができるようにした遊技機を提供。【解決手段】  遊技機(S)は、中板(7)の貫通孔(90)と、中板(7)の下面に回転軸(92)を固定した軸支部(91)と、軸支部(91)に軸支される回転部材(100)とを備え、回転部材(100)は、軸支部(91)に軸支されて、中板(7)より下に配置される基体部(110)と、基体部(110)の軸支された部分から離れた手前側に立設して、貫通孔(90)を介して、中板(7)より上に一部を移動可能な立設部(120)と、立設部(120)の中板(7)より上に移動可能な部分から突出して、分離ユニット(40)に係合するための係合部(101)とを備えている。【選択図】    図１
2006116164.tif 000002
【特許請求の範囲】
【請求項１】
正面側に開口する正面開口部を有する筐体と、
前記筐体を上下に仕切る中板と、
前記筐体の正面開口部を開閉自在に塞ぐ扉と、
前記中板上部に固定するとともに前記筐体から分離して交換可能な分離ユニットとを備えた分離型の遊技機において、
前記扉は、
前記筐体の正面開口部の前記中板より上部を開閉自在に塞ぐ上扉と、
前記筐体の正面開口部の前記中板より下部を開閉自在に塞ぐ下扉とを備え、
前記分離ユニットは、
前記上扉と、
複数の図柄が表示された回転リール及びこの回転リールを回転表示させるための駆動手段を有するリールユニットとを備え、
前記遊技機は、
前記中板の上下に貫通する貫通孔と、
前記中板の下面に回転軸を固定した軸支部と、
前記軸支部に回転可能に軸支される回転部材とを備え、
前記回転部材は、
前記軸支部に軸支されて、前記中板より下に配置される基体部と、
前記基体部の軸支された部分から離れた手前側に立設して、前記貫通孔を介して、前記中板より上に一部を移動可能な立設部と、
前記立設部の中板より上に移動可能な部分から突出して、前記分離ユニットに係合するための係合部とを備えていることを特徴とする遊技機。
【請求項２】
前記遊技機は、前記分離ユニットに係合している前記回転部材の前記中板より下の部分と、前記中板との間で封印可能な封印手段を備えていることを特徴とする請求項１記載の遊技機。
【請求項３】
前記回転部材は、少なくとも前記係合部が弾性部材であることを特徴とする請求項１又は請求項２記載の遊技機。
【発明の詳細な説明】
【技術分野】
【０００１】
この発明は、分離ユニットの筐体への固定操作を容易にした遊技機に関するものである。
【背景技術】
【０００２】
従来、この種の遊技機としては、リールユニット等を有する分離ユニットと、筐体とをキャッチクリップで固定した際に、両者を封印し、分離ユニットを取り外す際に封印が解かれるものが知られている（例えば、特許文献１。）。
【特許文献１】特開２００３−２３６０３８号公報
【発明の開示】
【発明が解決しようとする課題】
【０００３】
しかし、上記した従来の遊技機では、上扉、制御装置及びリールユニット等を支持する枠状の支持体（交換フレーム）を筐体内部の中板より上の空間に装着した場合、当該支持体（交換フレーム）により形成される狭い内部空間へ手を差し込んで、筐体及び支持体の間をキャッチクリップによる固定操作をするのは容易ではないといった第１の問題点があった。
また、キャッチクリップに対して封印手段である封印タグを取り付けた場合に、通常、制御装置に対する不正操作を防ぐために開放できないようにしている上扉を開放しないと、かかる封印状態を確認できないといった第２の問題点があった。
【０００４】
そこで、各請求項にそれぞれ記載された各発明は、上記した従来の技術の有する問題点に鑑みてなされたものであり、その目的とするところは、次の点にある。
（請求項１）  すなわち、請求項１記載の発明は、上記した従来の技術の有する第１の問題点に鑑みてなされたものであり、その目的とするところは、中板より下の回転部材を回転動作するだけで、中板より上へ手を差し込むことなく、分離ユニットの固定作業を行うことができて、分離ユニットの固定作業を容易にすることができるようにした遊技機を提供しようとするものである。
（請求項２）  請求項２記載の発明は、上記した請求項１記載の発明の目的に加え、次の点を目的とする。すなわち、請求項２記載の発明は、上記した従来の技術の有する第２の問題点に鑑みてなされたものであり、その目的とするところは、上扉を開放せずに、下扉の開放だけで、封印状態を確認することができる遊技機を提供しようとするものである。
【０００５】
（請求項３）  請求項３記載の発明は、上記した請求項１又は請求項２記載の発明の目的に加え、次の点を目的とする。すなわち、請求項３記載の発明は、回転部材を容易に変形させることができて、分離ユニットの固定作業を容易にすることができるようにした遊技機を提供しようとするものである。
【課題を解決するための手段】
【０００６】
（請求項１）  請求項１記載の発明は、次の点を特徴とする。すなわち、正面側に開口する正面開口部(27)を有する筐体(1)と、前記筐体(1)を上下に仕切る中板(7)と、前記筐体(1)の正面開口部(27)を開閉自在に塞ぐ扉(2)と、前記中板(7)上部に固定するとともに前記筐体(1)から分離して交換可能な分離ユニット(40)とを備えた分離型の遊技機(S)において、前記扉(2)は、前記筐体(1)の正面開口部(27)の前記中板(7)より上部を開閉自在に塞ぐ上扉(21)と、前記筐体(1)の正面開口部(27)の前記中板(7)より下部を開閉自在に塞ぐ下扉(22)とを備え、前記分離ユニット(40)は、前記上扉(21)と、複数の図柄(19)が表示された回転リール(3)及びこの回転リール(3)を回転表示させるための駆動手段を有するリールユニット(10)とを備え、前記遊技機(S)は、前記中板(7)の上下に貫通する貫通孔(90)と、前記中板(7)の下面に回転軸(92)を固定した軸支部(91)と、前記軸支部(91)に回転可能に軸支される回転部材(100)とを備え、前記回転部材(100)は、前記軸支部(91)に軸支されて、前記中板(7)より下に配置される基体部(110)と、前記基体部(110)の軸支された部分から離れた手前側に立設して、前記貫通孔(90)を介して、前記中板(7)より上に一部を移動可能な立設部(120)と、前記立設部(120)の中板(7)より上に移動可能な部分から突出して、前記分離ユニット(40)に係合するための係合部(101)とを備えていることを特徴とする。
【０００７】
（作用）  本発明は、中板(7)下面の軸支部(91)に軸支される回転部材(100)を、軸支部(91)の回りに回転させて、回転部材(100)の立設部(120)を、中板(7)の貫通孔(90)から、中板(7)の上部へ移動させる。そして、立設部(120)から突出する係合部(101)を、分離ユニット(40)に係合させることができる。これにより、中板(7)の下面に軸支される回転部材(100)により、分離ユニット(40)を固定することが可能となる。すなわち、交換作業者は、中板(7)より上に手を差し込む必要がなく、中板(7)より下の回転部材(100)を軸支部(91)の回りに回転させるだけで、分離ユニット(40)を筐体(1)に固定することができる。これにより、中板(7)より下部の正面開口部(27)を塞ぐ下扉(22)だけを開放し、中板(7)より上部の正面開口部(27)を塞ぐ上扉(21)を閉じたままで作業を行うことができ、上扉(21)を開放させる手間が省ける。また、回転リール(3)やその駆動手段を有するリールユニット(10)が配置されて、交換作業者等が自由に手を差し込んで、固定操作作業を行うような空間が少ない中板(7)より上へ、手を差し込んで交換作業を行う必要がなく、主に、遊技をするための遊技媒体の貯留システム関係しか配設されないため、開放空間が多くなる中板(7)より下の回転部材(100)の回転動作で、分離ユニット(40)の固定作業を完了させることができる。したがって、交換作業者の固定作業を容易なものにすることができる。
【０００８】
（請求項２）  請求項２記載の発明は、上記した請求項１記載の発明の特徴点に加え、次の点を特徴とする。すなわち、前記遊技機(S)は、前記分離ユニット(40)に係合している前記回転部材(100)の前記中板(7)より下の部分と、前記中板(7)との間で封印可能な封印手段(130)を備えていることを特徴とする。
なお、ここで、封印手段(130)とは、一旦、封印すると、かかる封印部材を破壊や、破断しなければ、封印を解除することができず、新たな封印部材を使用しなければ、封印を元に戻すことができず、その封印が解除された事実が残るようなものを意味する。
（作用）  本発明は、回転部材(100)の中板(7)より下の部分と、中板(7)との間で、封印手段(130)により、封印が行われている。このため、交換作業者は、中板(7)より下部を開閉自在に塞ぐ下扉(22)だけを開放し、中板(7)より上部を開閉自在に塞ぐ上扉(21)は閉じたままで、封印手段(130)の封印が正常状態であるかの確認をすることができる。
【０００９】
（請求項３）  請求項３記載の発明は、上記した請求項１又は請求項２記載の発明の特徴点に加え、次の点を特徴とする。すなわち、前記回転部材(100)は、少なくとも前記係合部が弾性部材であることを特徴とする。ここで、「弾性部材」とは、具体的には、例えば、弾性樹脂（軟質樹脂）や、弾性金属等の容易に変形可能な弾性材料を意味する。
（作用）  本発明は、回転部材(100)のうち、少なくとも前記係合部が、弾性材料であるため、係合部(101)は、容易に変形することができ、分離ユニット(40)への係合を容易なものにすることができる。これにより、分離ユニット(40)の固定作業を容易なものにすることができる。
【発明の効果】
【００１０】
本発明は、以上のように構成されているので、以下に記載されるような効果を奏する。
（請求項１）  請求項１記載の発明によれば、次のような効果を奏する。すなわち、請求項１記載の発明によれば、中板より下の回転部材を回転動作するだけで、中板より上へ手を差し込むことなく、分離ユニットの固定作業を行うことができて、分離ユニットの固定作業を容易にすることができるようにした遊技機を提供することができる。
（請求項２）  請求項２記載の発明によれば、上記した請求項１記載の発明の効果に加え、次のような効果を奏する。すなわち、請求項２記載の発明によれば、上扉を開放せずに、下扉の開放だけで、封印状態を確認することができ、ゴト行為を抑制することができるようにした遊技機を提供することができる。
【００１１】
（請求項３）  請求項３記載の発明によれば、上記した請求項１又は請求項２記載の発明の効果に加え、次のような効果を奏する。すなわち、請求項３記載の発明によれば、回転部材を容易に変形させることができて、分離ユニットの固定作業を容易にすることができるようにした遊技機を提供することができる。
【発明を実施するための最良の形態】
【００１２】
（図面の説明）  図１乃至図５は、本発明の実施の形態を示すものである。図１は回転部材を分離ユニットに係合し、封印している状態の外観斜視図、図２は筐体及び回転部材の概略縦断面図、図３は遊技機の外観正面図、図４及び図５は分離ユニット、下扉及び筐体を分離した状態の外観斜視図をそれぞれ示すものである。
（遊技機S）  本実施の形態に係る遊技機Sは、具体的には、スロットマシンであって、大きく分けて、正面側に開口する正面開口部27を有する筐体1と、この筐体1内部に着脱自在に固定するとともに、筐体1から分離して交換可能な分離ユニット40とを備えている。そして、遊技機Sの正面側には、筐体1の正面開口部27を開閉可能に塞ぐための扉2が形成されている。そして、筐体1の正面開口部27は、筐体1の上部であって、中板7より上部に開口する開口上部25と、筐体1の下部であって、中板7より下部に開口する開口下部26とを備えている。そして、前記扉2は、筐体1の開口上部25を開閉可能に塞ぐための上扉21と、筐体1の開口下部26を開閉可能に塞ぐための下扉22とを備えている。
【００１３】
前記分離ユニット40は、筐体1の正面開口部27の上部の開口上部25を開閉自在に塞ぐ上扉21と、複数の図柄19が表示された回転リール3及びこの回転リール3を回転表示させるための駆動手段を有するリールユニット10とを備えている。そして、リールユニット10の手前側には、上扉21が取り付けられてある。そして、このリールユニット10及び上扉21により、上扉21の裏にリールユニット10を取り付けて、両者が一体となった分離ユニット40を形成している。この分離ユニット40は、中板7上面に固定するとともに筐体1から分離して交換可能なものである。すなわち、通常のいわゆる新台入れ替えの際には、リールユニット10及び上扉21が一体となった分離ユニット40毎に入れ替えることができるものである。もちろん、新台入れ替えの際、上扉21は、そのままで、リールユニット10だけを交換することもできる。
【００１４】
なお、ここで、本明細書中の「前方向」や「手前方向」とは、交換作業者（或いは遊技者）が、遊技機Sの正面側の前に遊技機Sの方に顔を向けて座って、或いは、立っているような場合のかかる交換作業者（或いは遊技者）から見た場合の奥から手前への方向を意味する。したがって、前方向や手前方向とは、遊技機Sの奥から正面へ向かう方向を意味する。また、「後方向」とは、交換作業者（或いは遊技者）が、遊技機Sの正面側に遊技機Sの方を向いて位置しているような場合のかかる交換作業者（或いは遊技者）から見たときの手前から奥への方向を意味する。したがって、後方向とは、遊技機Sの正面から奥（後ろ）へ向かう方向を意味する。また、本明細書における「左方向」や「右方向」等の左右方向も、かかる遊技機Sの前面の方を向いて位置している者から見た場合の右方向や、左方向を意味する。
【００１５】
（筐体1）  前記筐体1は、全体形状が略箱状であって、底面に配置した底板75と、この底板75の左右端縁から上方に向かって設けられた左右の側板76と、この側板76の上端間に渡した天板77と、左右の側板76の後側の端面間に渡して、裏側を塞ぐ奥板78とからなる正面側に開口するものである。すなわち、底板75と、その左右の側板76と、天板77とにより、四角枠状の四角枠部材を形成し、この四角枠部材の正面側に正面開口部27が開口し、四角枠部材の奥側を奥板78が塞いでいるものである。そして、この筐体1の高さ方向略中央部には、二つの側板76の間に水平方向に中板7が渡してある。そして、この中板7は、特に図示していないが、分離ユニット40を筐体1の奥側内部に案内するためのガイドを中板7上面の左右に形成している。そして、底板75には、各部品に電気を供給するための電源装置8と、投入された遊技媒体を貯留するとともに払い出し皿12に遊技媒体を払い出し可能なホッパーユニットとも呼ばれる払い出し装置5とが固定されている。
【００１６】
ここで、電源装置8は、開口下部26の中板7の下面に取り付けられており、遊技店側が種々の設定を行うためのスイッチ等の設定操作部を有している。
前記電源装置8及び払い出し装置5は、分離ユニット40の交換に際し、必ずしも交換する必要のないものであり、交換時には設置されたままにしておけるようになっているものである。
また、側板76の正面左側の下部には、前記下扉22を係合させ、回転自在に支持するための下扉用係合ヒンジ部50が、上下方向に間隔をおいて二つ設けられている。
また、中板7の右側には、平面視で長方形状の上下方向に貫通する貫通孔90が形成されている。中板7の下面の貫通孔90の奥側付近には、回転軸92を有する軸支部91が固定されている。そして、この軸支部91の回転軸92の回りに回転可能に回転部材100が軸支されている。
【００１７】
また、中板7の下面の貫通孔90の手前側付近には、回転部材100を封印する際に使用するＬ状回転片131が回転片回転軸133の回りに回転可能に軸支されている。
（分離ユニット40）  前記分離ユニット40は、遊技ホールにおける、いわゆる新台入れ替えの際、遊技内容を変更するために筐体1に対して交換可能に形成されているものである。この分離ユニット40は、リールユニット10と、このリールユニット10の手前側に開閉可能に取り付けられた上扉21とから形成されているものである。このリールユニット10及び上扉21は、両者が一体となった状態で、筐体1から取り外し、また、取り付けることができるように形成されている。なお、リールユニット10から上扉21を取り外せば、いわゆる新台入れ替えの際、上扉21はそのまま交換せずに、リールユニット10だけを交換することができる。このように、リールユニット10だけの取り付けや、取り外しも可能となるように形成されている。そして、分離ユニット40には、回転部材100が係合するためのユニット側係合部140が形成されている。
【００１８】
（リールユニット10）  前記分離ユニット40のリールユニット10は、筐体1に着脱自在に取り付けられているものである。このリールユニット10は、複数の図柄19が表示された回転リール3及びこの回転リール3を回転表示させるための駆動手段（図示せず）を有する。そして、このリールユニット10は、当該遊技機Sの各部品を制御するための制御装置73を備えている。
前記リールユニット10は、回転リール3、駆動手段及び制御装置73等を装着するための枠状の支持体6を備えている。この支持体6は、全体形状が直方体の枠状に形成されている。すなわち、回転リール3、駆動手段及び制御装置73は、これらを装着するための支持体6を介して、リールユニット10に組み込まれているものである。
【００１９】
ここで、回転リール3は、周囲に複数の図柄を表示した３個の回転リール3からなるものである。そして、駆動手段は、特に図示しないが、それぞれの回転リール3を回転させるための駆動モータを有している。そして、制御装置73は、回転リール3の回転等を制御するための主制御装置が透明樹脂からなる四角箱状の基板ケースの内部に収納されているものである。
前記支持体6の正面左側の開口縁には、上扉21を回転自在に係合するための上扉用係合ヒンジ部（図示せず）が、上下方向に間隔をおいて二つ設けられている。
さらに、支持体6の正面右側の縦方向の開口縁には、上扉21を閉めた際、上扉21のロック可動片（図示せず）をロックするためのロック固定片（図示せず）が、上下方向に間隔をおいて二つ設けられている。このように、支持体6の左側の上扉用係合ヒンジ部と、支持体6の右側のロック固定片及び上扉21のロック可動片とにより、上扉21が支持体6に回転可能に固定され、両者を一体のものにすることができる。
【００２０】
前記リールユニット10の支持体6の正面から向かって右側の側面には、回転部材100の係合部101に係合するためのユニット側係合部140が形成されている。具体的には、このユニット側係合部140は、リールユニット10の支持体6の正面から向かって右側の側面から右側方向に向かって突出する２本の円柱棒状のものである。このユニット側係合部140は、回転部材100の先端鉤部121に係合するための先端係合棒141と、回転部材100の中間鉤部122に係合するための中間係合棒142とを備えている。これらのユニット側係合部140に回転部材100を回転させて、回転部材100の立設部120の係合部101を引っかけて止めることにより、リールユニット10は筐体1内部に固定されるものである。すなわち、このユニット側係合部140及び係合部101は、分離ユニット40の固定装置としての役割を有するものである。
【００２１】
（上扉21）  前記上扉21は、筐体1の開口上部25の開閉を行うための扉2であって、リールユニット10の支持体6に回転自在かつロック可能に形成されている板状の扉2である。そして、上扉21は、樹脂板からなる表示窓28が形成されている。遊技者は、回転リール3の図柄19を、図柄表示窓23を介して、正面側から見ることができるように形成されている。そして、上扉21の周囲には、アーチ状のランプ等を有する表示装置86が設けられている。
さらに、特に図示していないが、上扉21の左側の裏面には、上扉用係合ヒンジ部の一方が、上下方向に間隔をおいて二つ設けられている。そして、リールユニット10の正面側の左側に、かかる上扉21の上扉用係合ヒンジ部と回転自在に係合する他方の上扉用係合ヒンジ部が形成されてあり、これらの上扉用係合ヒンジ部を係合させることにより、リールユニット10の左端に上扉21を回転自在に係合させることができるものである。
【００２２】
そして、上扉21の正面から向かって右側の裏面には、特に図示していないが、扉ロック機構が設けられている。この扉ロック機構は、上扉21の背面側から奥側に向かって突出する２本のロック可動片を備えているものである。そして、リールユニット10の支持体6の前面側の右側の縦枠には、かかるロック可動片が係合するためのロック固定片が上下方向に２カ所、形成されている。
（下扉22）  前記下扉22は、筐体1の開口下部26を開閉自在に塞ぐための、上扉21よりも幅厚の扉であり、筐体1の側板76に回転自在かつロック可能に形成されているものである。
【００２３】
前記下扉22の正面側の上部及び上面は、遊技機Sを作動させるための操作部18となっており、下扉22の上面は、閉扉時においては、上扉21よりも前側に突出するようになっている。すなわち、この下扉22は、上扉21の下部の前側を、前側から覆うような状態で、ロックされ、下扉22の上部は、上扉21の下部よりも、手前側に配置するように形成されている。したがって、上扉21を閉じた状態で、下扉22を閉じた場合、下扉22を開けることなく、上扉21だけを開くことはできないように形成されている。このため、上扉21を開放する際には、必ず、下扉22の開放が条件となるものである。これにより、制御装置73や、回転リール3等の開口上部25に配置されている部品が、ゴト行為により、操作されるのを抑えることができるものである。
【００２４】
また、下扉22の正面側の下部には払い出された遊技媒体を溜めておくための凹状の払い出し皿12が形成されており、この払い出し皿12の上部には、払い出し皿12へ遊技媒体を払い出すための払い出し口74が形成され、下扉22の正面側の略中央部には、遊技内容その他の案内表示をするための前パネル85が嵌め込まれている。
前記操作部18としては、下扉22の上面右端には媒体投入口71と、上面左側に設けられたベットスイッチ17と、正面側にはレバー式のスタートスイッチ15と、ボタン式のストップスイッチ16と、鍵穴87とが設けられている。なお、ベットスイッチ17とは、遊技媒体である貯留メダルをメダル投入に代えるためのものであり、スタートスイッチ15及びストップスイッチ16は、回転リール3の回転を開始及び停止させるためのものである。また、鍵穴87は、下扉22を解錠するためのものであり、この穴に所定の鍵を差し込んで回すと、下扉22の扉ロック機構のロックが解除されるものである。そして、下扉22を開いた後、上扉21の下端から延びるレバーを操作することにより、上扉21の扉ロック機構であるロック可動片を可動させて、ロック固定片から外し、上扉21を開けることができるように形成されている。
【００２５】
さらに、下扉22の裏面側には、前記媒体投入口71から投入された遊技媒体を誘導しながら遊技媒体の正偽を判断するための媒体セレクター4が設けられている。
また、下扉22の左側の裏面には、筐体1の下扉用係合ヒンジ部50と係合可能な下扉用係合ヒンジ孔51が上下方向に間隔をおいて二つ設けられている。そして、下扉22の右側の裏面には、筐体1の下扉用ロック固定片にロック可能なアンカー状の下扉用ロック可動片を有する扉ロック機構が設けられている。
（回転部材100）  前記回転部材100は、軸支部91の回転軸92の回りに回転可能に軸支されるものである。なお、軸支部91は、中板7の下面に固定されているものであって、中板7の下面と平行、且つ、左右方向に配置された回転軸92を有しているものである。
【００２６】
前記回転部材100は、軸支部91の回転軸92に軸支されて、中板7より下の開口下部26に配置されるとともに手前側に向かって延設された基体部110と、基体部110の手前側の先端部から上方に立設して、貫通孔90を介して、中板7より上の開口上部25に一部を移動して突出させる立設部120と、この立設部120から軸支部91側に向かって突出して、分離ユニット40に係合するための係合部101とを備えている。
前記基体部110は、その一端側を、軸支部91の回転軸92の回りに回転可能に軸支している。そして、基体部110は、水平状態の基体部110の下面から下方に延設され、その下方に延びた先端から手前側に向かって延設されているＬ状突出片111を備えている。このＬ状突出片111は、縦断面形状が略Ｌ字状に形成されているものである。そして、基体部110の下面と、Ｌ状突出片111との間に、スリット状の隙間空間である差し込みスリット112が形成されている。この差し込みスリット112は、回転部材100を分離ユニット40に係合させて、基体部110を水平状態にした場合、手前側に向かってスリット状の開放する隙間を形成するものである。また、この差し込みスリット112の隙間幅は、封印に使用するＬ状回転片131の厚みより僅かに大きくなるように形成され、Ｌ状回転片131がその差し込みスリット112の間に差し込むことができるように形成されている。そして、基体部110から延設されたＬ状突出片111の手前側には、封印に使用するために表裏に貫通する回転部材側封印孔113が形成されている。この回転部材側封印孔113は、Ｌ状回転片131を差し込みスリット112に差し込んだ状態で、Ｌ状回転片131の封印孔132と整合するような位置に形成されている。
【００２７】
なお、基体部110は、本実施の形態においては、分離ユニット40に係合した際、水平状態となるように形成されているが、必ずしも、水平状態となる必要はなく、軸支部91から斜め下方向等に延びるように形成されているものでも良い。具体的には、例えば、図６に示すように、基体部110が、軸支部91から手前側の斜め下方向に向かって延びるように形成しても良い。
前記立設部120は、基体部110の軸支された部分から離れた手前側に立設するものであって、基体部110の手前側から上方に向かって円弧状に形成されている。この立設部120は、回転軸92からの距離が略同一、すなわち、回転軸92を中心とした円周上に位置するような円弧状に形成されているものである。そして、この立設部120は、基体部110を水平状態にした場合、貫通孔90から開口上部25へ入り込むように形成されている。なお、立設部120は、基体部110の手前側の先端から上方に向かって延びているが、必ずしも、基体部110の手前側の先端から延びる必要はなく、基体部110の途中から上方に向かって延びるように形成されているものでも良い。
【００２８】
前記係合部101は、立設部120の中板7より上に移動可能な部分から突出して、分離ユニット40に係合するためのものである。この係合部101は、立設部120から軸支部91の回転軸92側に向かって突出するように形成されている。この係合部101は、立設部120の自由端側の先端から軸支部91の回転軸92側に向かって突出する先端鉤部121と、立設部120の基端側から自由端側の先端に至る途中に位置して、軸支部91の回転軸92側に向かって突出する中間鉤部122とを備えている。なお、これらの先端鉤部121及び中間鉤部122は、本実施の形態では、軸支部91側に向かって突出しているが、必ずしも軸支部91側に向かって突出するものに限定されるものではなく、立設部120から、立設部120の外側に向かって突出して、弾性変形により最終的に、ユニット側係合部140と係合することができるものであれば良いものである。したがって、図６に示す先端鉤部121のように、係合部101のうち先端鉤部121が、立設部120から軸支部91と反対側方向に向かって突出するようなものでも良い。
【００２９】
前記先端鉤部121は、回転部材100を回転させて、立設部120を貫通孔90を介して開口上部25内部に差し込むと、リールユニット10から水平右方向に突出する先端係合棒141と係合するように形成されている。
前記中間鉤部122は、回転部材100を回転させて、立設部120を貫通孔90を介して開口上部25内部に差し込むと、リールユニット10から水平右方向に突出する中間係合棒142と係合するように形成されている。
ここで、回転部材100のうち係合部101は、弾性部材である弾性樹脂により形成されている。したがって、回転部材100を回転させて、立設部120を貫通孔90に通して、開口上部25へ差し込むと、ユニット側係合部140（先端係合棒141及び中間係合棒142）の表面により係合部101が押されて、係合部101が弾性変形して、係合部101が回転軸92から離れる方向に変形する。そして、更に、回転部材100を回転移動させると、係合部101がユニット側係合部140を乗り越えて、弾性変形していた係合部101の形状が元に戻る。これにより、図１に示すような係合状態となって、係合部101及びユニット側係合部140を、係合状態にすることができるものである。もちろん、上述した実施の形態では、係合部101だけを部分的に弾性部材である弾性樹脂により形成していたが、係合部101だけではなく、回転部材100の全体を、弾性部材である弾性樹脂により形成しても良いものである。全体を弾性部材とすることにより、係合時に回転部材100全体を変形させることができ、係合作業をよりスムーズに行うことができる。
【００３０】
（係合部101及びユニット側係合部140の位置関係）
先端鉤部121及び先端係合棒141は、軸支部91の回転軸92の真上方向で、且つ、円弧状の立設部120の回転軸92を中心とした回転軌道上の位置で係合するような位置関係となるように形成されている。これにより、先端鉤部121は、先端係合棒141の上方への移動を規制することができるものであり、分離ユニット40の上方への移動を抑えることができるものである。
中間鉤部122及び中間係合棒142は、円弧状の立設部120の回転軸92を中心とした回転軌道上の位置で係合するとともに、中間鉤部122が中間係合棒142の手前側を当接するような位置関係となるように形成されている。これにより、中間鉤部122は、中間係合棒142の手前側への移動を規制することができるものであり、分離ユニット40の前後方向のうち、手前側方向への移動を抑えることができるものである。
【００３１】
なお、分離ユニット40は、奥方向への移動は、リールユニット10の背面が、筐体1の奥板78に当接することにより規制されるものである。これにより、分離ユニット40の上下方向及び前後方向への移動が全て規制され、分離ユニット40を筐体1内部に固定することができる。
また、固定された状態で、無理に分離ユニット40を手前側に引っ張ると、中間係合棒142及び中間鉤部122の係合により、手前側への移動が阻止される上に、更に、立設部120の前面側が、貫通孔90の手前側の内面に当接することにより、分離ユニット40の手前側への移動が阻止されるように形成されている。
【００３２】
（封印手段130）  前記封印手段130は、回転部材100を分離ユニット40に係合した後、基体部110及び中板7下面の間で封印可能なものである。具体的には、封印手段130は、図１に示すように、中板7の下面の回転片回転軸133の回りに回転可能に軸支された全体形状が略Ｌ字状のＬ状回転片131と、回転部材100のＬ状突出片111との間で行われるものである。更に、具体的には、回転部材100を回転することで、係合部101及びユニット側係合部140を係合させて、基体部110が水平状態となっている場合に、Ｌ状回転片131を回転片回転軸133の回りに回転させて、Ｌ状回転片131を基体部110の差し込みスリット112の内部に回転移動して挿入する。そして、Ｌ状回転片131の封印孔132と、Ｌ状突出片111の回転部材側封印孔113とが、上下に整合するような位置で、封印孔132及び回転部材側封印孔113にループ状の封印タグ134を通して、封印するものである。この封印タグ134は、通す際は、紐状であるが、一度、両端を閉じて円環状（ループ状）にすると、その円環状の途中を切断しない限り、取り外すことはできないように形成されているものである。
【００３３】
なお、封印手段130は、上述したような封印タグ134に限定されるものではなく、一方の端部の先端が弾性変形可能な錨状に形成されて、他方の端部が封印孔132より大きな部分を有しているような棒状封印タグでも良いものである。すなわち、この棒状封印タグの錨状の先端は、封印孔132等を先端側から通す際には、容易に弾性変形して通すことができるが、一旦、封印孔132等を通過すると、逆方向に引き戻すことは錨状の鍔の部分が引っかかって困難で、先端の錨状部分を切断等しなければ、封印孔132等から引き抜くことができないように形成されているものである。
（作用）  中板7下面の軸支部91の回転軸92に軸支される回転部材100を、軸支部91の回転軸92の回りに回転させて、回転部材100の立設部120を、中板7の貫通孔90から、中板7の上部へ移動させる。そして、立設部120から突出する係合部101を、分離ユニット40のユニット側係合部140に係合させる。具体的には、回転部材100の先端鉤部121を、分離ユニット40の先端係合棒141に係合させ、回転部材100の中間鉤部122を、分離ユニット40の中間係合棒142に係合させる。これにより、中板7の下面に軸支される回転部材100により、分離ユニット40を固定することが可能となる。すなわち、交換作業者は、中板7より上に手を差し込む必要がなく、中板7より下の回転部材100を軸支部91の回りに回転させて、貫通孔90から立設部120を突出させるだけで、分離ユニット40を筐体1に固定することができる。これにより、中板7より下部の開口下部26を塞ぐ下扉22だけを開放し、中板7より上部の開口上部25を塞ぐ上扉21を閉じたままで回転部材100の係合作業を行うことができ、上扉21を開放させる手間を省くことができる。また、制御装置73や、回転リール3やその駆動手段等を有するリールユニット10が配置されて、交換作業者等が自由に手を差し込んで、固定操作作業を行うような空間が少ない中板7より上の開口上部25へ、手を差し込んで交換作業を行う必要がない。そして、払い出し装置5及び電源装置8が配設されて、主に、遊技をするための遊技媒体の貯留システム関係しか配設されないため、比較的、開放空間が多く、更に、払い出し装置5等は、比較的、簡単に移動させて、取り外すことが可能な中板7より下の開口下部26において、分離ユニット40の筐体1への固定作業を行うことができる。そして、かかる開口下部26における回転部材100の回転操作だけで、分離ユニット40の筐体1への固定作業を完了させることができる。したがって、交換作業者の固定作業を容易なものにすることができる。
【００３４】
そして、中板7より下の開口下部26に配置される基体部110から延びるＬ状突出片111と、中板7下面に回転可能に軸支されたＬ状回転片131との間で、封印手段130である封印タグ134により、封印が行われている。このため、交換作業者は、中板7より下部の開口下部26を開閉自在に塞ぐ下扉22だけを開放し、中板7より上部の開口上部25を開閉自在に塞ぐ上扉21は閉じたままで、封印手段130の封印タグ134による封印が正常状態であるか（封印タグ134が切断されていないか）の確認をすることができる。
そして、回転部材100の係合部101が弾性材料である弾性樹脂からなるため、回転部材100の係合部101を容易に弾性変形することができ、分離ユニット40のユニット側係合部140への係合を容易なものにすることができる。これにより、分離ユニット40の固定作業を容易なものにすることができる。
【００３５】
また、上述した実施の形態では、遊技媒体として円板状の遊技メダルを使用しているスロットマシンであるが、遊技媒体として、球状の遊技球を使用する、いわゆるパロットに適用することもできる。
（他のバリエーション）  図６は、他の実施の形態を示すものであって、回転部材100の形状が、上述した実施の形態とは異なるものである。上述した実施の形態では、基体部110は、分離ユニット40に係合した際、水平状態となるように形成されていたが、本実施の形態では、基体部110は、軸支部91から手前側の斜め下方向に向かって延びるように形成されている。そして、図６に示す回転部材100の基体部110の手前側の先端は、交換作業者が手で持って回転部材100を回転できるような把持部150として機能させることができるように形成されている。また、立設部120の途中から、手前側に向かって延びる封印用突出片160が形成されている。そして、この封印用突出片160に形成された回転部材用封印孔161と、中板7の手前側に表裏に貫通する中板用封印孔162とが、回転部材100を係合した状態で、上下方向に整合するように形成されてあり、かかる回転部材用封印孔161及び中板用封印孔162に、封印手段130である封印タグ134が通されている。
【００３６】
さらに、上述した実施の形態では、係合部101は、軸支部91側に向かって突出していたが、本実施の形態では、係合部101のうち、先端鉤部121は、立設部120から、軸支部91と反対側方向に向かって突出して、弾性変形により、ユニット側係合部140と係合することができるように形成されている。
【図面の簡単な説明】
【００３７】
【図１】本発明の実施の形態であって、回転部材100を分離ユニット40に係合し、封印している状態を示す外観斜視図である。
【図２】本発明の実施の形態であって、筐体及び回転部材を示す概略縦断面図である。
【図３】本発明の実施の形態であって、遊技機を示す外観正面図である。
【図４】本発明の実施の形態であって、分離ユニット、下扉及び筐体を分離した状態を示す外観斜視図である。
【図５】本発明の実施の形態であって、分離ユニット、下扉及び筐体を分離した状態を示す外観斜視図である。
【図６】本発明の他の実施の形態であって、筐体及び回転部材を示す概略縦断面図である。
【符号の説明】
【００３８】
S  遊技機                              1  筐体
2  扉                                  3  回転リール
4  媒体セレクター                      5  払い出し装置
6  支持体                              7  中板
8  電源装置                            10  リールユニット
12  払い出し皿                          15  スタートスイッチ
16  ストップスイッチ                    17  ベットスイッチ
18  操作部                              19  図柄
21  上扉                                22  下扉
23  図柄表示窓                          25  開口上部
26  開口下部                            27  正面開口部
28  表示窓                              40  分離ユニット
50  下扉用係合ヒンジ部                  51  下扉用係合ヒンジ孔
71  媒体投入口                          73  制御装置
74  払い出し口                          75  底板
76  側板                                77  天板
78  奥板                                85  前パネル
86  表示装置                            87  鍵穴
90  貫通孔                              91  軸支部
92  回転軸                              100  回転部材
101  係合部                            110  基体部
111  Ｌ状突出片                        112  差し込みスリット
113  回転部材側封印孔                  120  立設部
121  先端鉤部                          122  中間鉤部
130  封印手段                          131  Ｌ状回転片
132  封印孔                            133  回転片回転軸
134  封印タグ                          140  ユニット側係合部
141  先端係合棒                        142  中間係合棒
150  把持部                            160  封印用突出片
161  回転部材用封印孔                  162  中板用封印孔
【図１】
2006116164.tif 000003
【図２】
2006116164.tif 000004
【図３】
2006116164.tif 000005
【図４】
2006116164.tif 000006
【図５】
2006116164.tif 000007
【図６】
2006116164.tif 000008